(57)【要約】      （修正有）【課題】ＬＥＤなどの光源を用いた場合にも比較的に広い範囲での照明を実現できるような発光装置を提供する。【解決手段】発光装置は、中空部２８を有し長手方向に延長された合成樹脂からなる管状筐体部１７と、前記管状筐体部の前記中空部の一部に係合して固定される枠材部２６と、前記管状筐体部の長手方向に沿って配され前記枠材部に短手方向の両端部がそれぞれ支持されてなる板状の配線基板と、前記配線基板に実装され発光した光が前記管状筐体部を介して外部に射出される複数の発光素子１１〜１３とを有し、前記管状筐体部の前記発光素子からの光が透過する領域には、光を散乱させるための散光部１８〜２３が形成されることを特徴とする。【選択図】図１
0003145640.tif 000002
【実用新案登録請求の範囲】
【請求項１】
中空部を有し長手方向に延長された合成樹脂からなる管状筐体部と、
前記管状筐体部の前記中空部の一部に係合して固定される枠材部と、
前記管状筐体部の長手方向に沿って配され前記枠材部に短手方向の両端部がそれぞれ支持されてなる板状の配線基板と、
前記配線基板に実装され発光した光が前記管状筐体部を介して外部に射出される複数の発光素子とを有し、
前記管状筐体部の前記発光素子からの光が透過する領域には、光を散乱させるための散光部が形成されることを特徴とする発光装置。
【請求項２】
前記散光部は、少なくとも前記中空部の内壁に形成される凹凸面と前記管状筐体部の外周面に形成される凹凸面のどちらか１つよりなることを特徴とする請求項１記載の発光装置。
【請求項３】
中空部を有し長手方向に延長された合成樹脂からなる管状筐体部と、
前記管状筐体部の前記中空部の一部に係合して固定される枠材部と、
前記管状筐体部の長手方向に沿って配され前記枠材部に短手方向の両端部がそれぞれ支持されてなる板状の配線基板と、
前記配線基板に実装され発光した光が前記管状筐体部を介して外部に射出される複数の発光素子とを有し、
前記枠材部には、前記管状筐体部の長手方向に沿って複数列の前記配線基板が配設されることを特徴とする発光装置。
【請求項４】
前記中空部には前記枠材部の一部を係合するための溝が形成され、その溝に前記枠材部を固定することで前記中空部に当該枠材部が固定されることを特徴とする請求項1若しくは請求項３記載の発光装置。
【請求項５】
前記枠材部には前記管状筐体部の延長方向に垂直な断面で２つ以上の前記配線基板が支持されてなり、これら配線基板の基板面のなす角は１８０度よりも小さいことを特徴とする請求項1若しくは請求項３記載の発光装置。
【請求項６】
前記発光素子は、所謂チップ型ＬＥＤからなることを特徴とする請求項1若しくは請求項３記載の発光装置。
【請求項７】
前記枠材部は軽金属材料より構成されることを特徴とする請求項１若しくは請求項３記載の発光装置。
【請求項８】
前記管状筐体部は所定の光透過率を有するアクリル製乳半からなることを特徴とする請求項１若しくは請求項３記載の発光装置。
【請求項９】
前記管状筐体部には定格の蛍光灯と同じサイズのソケットが配設されることを特徴とする請求項１若しくは請求項３記載の発光装置。
【考案の詳細な説明】
【技術分野】
【０００１】
本考案は管状の筐体内にＬＥＤなどの発光素子を配列させて発光させる発光装置に関する。
【背景技術】
【０００２】
従来、ＬＥＤ素子を用いたＬＥＤランプは、複数のチップ型ＬＥＤ素子を回路基板上に配列し、回路基板をバルブ形状のガラスやプラスチック樹脂内部に挿入して形成されていた。この様なＬＥＤランプとしては特許文献１に記載されたものがある。また、蛍光灯における管状蛍光管の如き樹脂製管の内部に発光ダイオードのような発光素子を複数配列させた装置も知られている（例えば、特許文献２参照。）。
【０００３】
【特許文献１】特開２００４−２９６２４５号公報
【特許文献２】実用新案登録第３１３４４３２号
【考案の開示】
【考案が解決しようとする課題】
【０００４】
上述の如き構造のＬＥＤランプや発光装置では、発光ダイオードの特性を生かして低消費電力や長寿命化を図ることができる。しかしながら、一般に発光ダイオードなどの発光素子は、光照射の指向性が電球のフィラメントなどに比べて高く、照射方向にスポット状の光を射出させたままでは、全体として明るい光を出すことができず、高輝度の発光ダイオードを実装させた場合であっても、室内の全体を明るく照らすことができないという問題を生じさせる。
【０００５】
そこで、本考案は上述の技術的な課題に鑑み、ＬＥＤなどの光源を用いた場合にも比較的に広い範囲での照明を実現できるような発光装置の提供を目的とする。
【課題を解決するための手段】
【０００６】
上述の技術的な課題を解決するため、本考案の発光装置は、中空部を有し長手方向に延長された合成樹脂からなる管状筐体部と、前記管状筐体部の前記中空部の一部に係合して固定される枠材部と、前記管状筐体部の長手方向に沿って配され前記枠材部に短手方向の両端部がそれぞれ支持されてなる板状の配線基板と、前記配線基板に実装され発光した光が前記管状筐体部を介して外部に射出される複数の発光素子とを有し、前記管状筐体部の前記発光素子からの光が透過する領域には、光を散乱させるための散光部が形成されることを特徴とする。
【０００７】
本考案の好適な実施形態によれば、前記散光部は、例えば前記中空部の内壁に形成される凹凸面や、前記管状筐体部の外周面に形成される凹凸面などから形成することができる。前記中空部には前記枠材部の一部を係合するための溝が形成され、その溝に前記枠材部を固定することで前記中空部に当該枠材部が固定されるように構成することもでき、前記枠材部には前記管状筐体部の延長方向に垂直な断面で２つ以上の前記配線基板が支持されてなり、これら配線基板の基板面のなす角は１８０度よりも小さくすることもできる。また、前記管状筐体部は所定の光透過率を有するアクリル製乳半から構成することも可能である。
【考案の効果】
【０００８】
本考案の発光装置によれば、発光素子からの光が透過する領域には散光部が形成されるため、この散光部では光線が散乱するように作用し、指向性の高い発光素子からの光を散乱させて、発光装置からの広い角度で光が射出されることになる。従って、例えば室内の蛍光灯などの代わりに設けた場合でも、十分に広い範囲を明るく照らすことができる。
【考案を実施するための最良の形態】
【０００９】
本考案の好適な実施形態の発光装置について図面を参照しながら説明する。
【００１０】
[第１の実施形態]
本実施形態の発光装置は、図１に示すように、所定の型の直管形の蛍光灯と概略同じサイズを有しており、コンバータなどの電源回路を有し、図示しない両端部にはソケットが取り付けられていて、既存の蛍光灯を置き換えて使用することができるものである。
【００１１】
本実施形態の発光装置においては、略円筒状のアクリル製乳半からなる管状筐体部１７は中空部２８を有しており、その中空部２８内に係合して固定される枠材部２６と、その枠材部２６に短手方向の両端部がそれぞれ支持されてなる板状の配線基板１４、１５、１６と、これら配線基板１４、１５、１６に実装され発光した光が管状筐体部１７を介して外部に射出される複数の発光素子１１、１２、１３とを有している。そして、管状筐体部１７の発光素子１１、１２、１３からの光が透過する比較的に肉厚の厚い領域には、光を散乱させるための散光部１８、１９、２０、２１、２２、２３が形成されている。
【００１２】
管状筐体部１７は、光透過率が６０〜８８％と比較的に透過率の高い乳半アクリル樹脂材を例えば押し出し成型法により成型したものであり、この乳半アクリル樹脂材には例えば紫外線による劣化を防止するための紫外線吸収剤や柔軟性のためのシリコン樹脂なども含まれる。管状筐体部１７の内部には長手方向に垂直な断面で略三つ葉形状の中空部２８が設けられており、中空部２８を形成するところの管状筐体部１７の内壁は長手方向に垂直な断面において３箇所で径方向内側に隆起する形状を有しており、その各隆起した部分に
枠材部２６の尖頭部２４と係合する係合溝２７が形成されている。
【００１３】
枠材部２６は、軸方向である長手方向に垂直な断面において、中心から３方向放射状に延長される構造を有し、やや細めの中心部分から傘状に開いた３つの尖頭部２４が配設されており、その尖頭部２４の先端部が枠材部２６の係合溝２７と係合する。係合溝２７及び尖頭部２４の先端部は、管状筐体部１７の軸方向に延長されるように形成されていることから、管状筐体部１７に対して枠材部２６を挿入する場合には、３つの尖頭部２４の先端部を枠材部２６の各係合溝２７とをそれぞれ摺動させながら枠材部２６を挿入することができ、尖頭部２４の先端部と枠材部２６の係合溝２７の間の遊びは比較的に小さくされることから、管状筐体部１７の中空部２８に枠材部２６を挿入することで、軸方向である長手方向に垂直な断面においては枠材部２６を位置決めすることができる。
【００１４】
発光素子１１は配線基板１４に実装され、発光素子１２は配線基板１５に実装され、発光素子１３は配線基板１６に実装される。これら発光素子１１、１２、１３は例えばチップ型の発光ダイオードからなり、板状の配線基板１４、１５、１６の長手方向に沿って所定のピッチで並べて配されている。発光素子１１、１２、１３から一対のリード線が発光素子１１、１２、１３の射出面とは反対側の面から配線基板１４、１５、１６側に延長されており、これらリード線を介して各発光素子１１、１２、１３は配線基板１４、１５、１６に固定されている。発光素子１１、１２、１３は配線基板１４、１５、１６に対して図１に示すように離間していても良く、逆に密着して取り付けられていても良い。
【００１５】
板状の各配線基板１４、１５、１６は、管状筐体部１７の軸方向である長手方向に沿って延びた平板で帯状の形状を有し、枠材部２６の１つの尖頭部２４から隣接する他の尖頭部２４に向き合うように形成された係合溝２５によって当該基板の短手方向の両端部がそれぞれ支持され、枠材部２６に対して保持されている。この結果、隣接する配線基板同士の基板面のなす角は６０度になり、仮に隣接する配線基板同士の基板面を延長させた場合には、正三角柱を立体的には構成する。
【００１６】
このように発光素子１１、１２、１３は配線基板１４、１５、１６に実装され、配線基板１４、１５、１６は枠材部２６の係合溝２５によって支持され、枠材部２６は管状筐体部１７の中空部２８に挿入されていることから、発光素子１１、１２、１３は管状筐体部１７を透過するように光を射出する向きに管状筐体部１７内に固定される。発光素子１１、１２、１３から射出した光が通過するレンズのように比較的に肉厚の厚い領域の管状筐体部１７には、光を散乱させるための散光部１８、１９、２０、２１、２２、２３が形成されており、これら散光部１８、１９、２０、２１、２２、２３によって発光素子１１、１２、１３から射出した光が散光し、光が当該発光装置の外部に広い範囲に亘って射出されることになる。すなわち、発光素子１１に対向する管状筐体部１７の内壁に散光部２１が形成されると共に管状筐体部１７の外周に散光部１８が形成され、発光素子１２に対向する管状筐体部１７の内壁に散光部２２が形成されると共に管状筐体部１７の外周に散光部１９が形成され、発光素子１３に対向する管状筐体部１７の内壁に散光部２３が形成されると共に管状筐体部１７の外周に散光部２０が形成される。
【００１７】
これら散光部１８、１９、２０、２１、２２、２３は、例えば図示のように複数のディンプルを形成したような凹凸を有する面としても良く、散乱のためのシートやビーズなどを配置するようにしても良い。また、これら散光部１８、１９、２０、２１、２２、２３だけを別部材で形成して、管状筐体部１７に対して組み込むようにしても良い。このような散光部１８、１９、２０、２１、２２、２３が設けられない場合には、発光素子１１、１２、１３から射出した光が指向性の高いまま射出されて、外部から見た場合には各発光素子１１、１２、１３のそれぞれ１つの素子から射出した光が独立して見えてしまうことになり、当該発光装置は広い範囲の照明効果を得ることができないが、散光部１８、１９、２０、２１、２２、２３を設けたことで、発光素子１１、１２、１３のそれぞれ１つの素子から射出した光が散光して当該発光装置の外部に広い範囲に亘って射出され、外部から見た場合には各発光素子１１、１２、１３からの光が独立するように見えなくなり、より蛍光灯のような全体に広がる照明効果を得ることができる。また、枠材部２６はアルミニウムの如き軽金属材料で構成することができ、軽量化を図ることもでき、尖頭部４４での素子で発熱に対するヒートシンク特性にも優れている。
【００１８】
なお、本実施形態では、散光部１８、１９、２０、２１、２２、２３を管状筐体部１７の中空部２８の内壁と外周の両方に設けた例で説明したが、どちらか１方だけの構成でも良く、散光部は外周面や内壁ではなく管状筐体部１７の光透過領域の厚みの中に形成される構造であってもよく、例えば、乱反射のためのパーティクルを含有した樹脂を光透過領域に配置するような方式でも良い。また、本実施形態では、発光装置の外形を所定の型の直管形の蛍光灯と概略同じ形状及びサイズで説明したが、本考案の発光装置は、環状やその他の形状の蛍光灯や電球形状の外形を有していても良い。
【００１９】
[第２の実施形態]
本実施形態の発光装置は、第１の実施形態の発光装置と同様に、図２に示すように、所定の型の直管形の蛍光灯と概略同じサイズを有しており、コンバータなどの電源回路を有し、図示しない両端部にはソケットが取り付けられていて、既存の蛍光灯を置き換えて使用することができるものである。
【００２０】
本実施形態の発光装置においては、略円筒状のアクリル製乳半からなる管状筐体部３７は中空部４８を有しており、その中空部４８内に係合して固定される枠材部４６と、その枠材部４６に短手方向の両端部がそれぞれ支持されてなる板状の配線基板３４、３５、３６と、これらに実装され発光した光が管状筐体部３７を介して外部に射出される複数の発光素子３１、３２、３３とを有している。そして、管状筐体部３７のからの光が透過する領域には、光を散乱させるための散光部３８、３９、４０、４１、４２、４３が形成されている。
【００２１】
管状筐体部３７は、第１の実施形態と同様に、光透過率が６０〜８８％と比較的に透過率の高い乳半アクリル樹脂材を例えば押し出し成型法により成型したものであり、この乳半アクリル樹脂材には例えば紫外線による劣化を防止するための紫外線吸収剤や柔軟性のためのシリコン樹脂なども含まれる。管状筐体部３７の内部には長手方向に垂直な断面で略三つ葉形状の中空部４８が設けられており、中空部４８を形成するところの管状筐体部３７の内壁は長手方向に垂直な断面において３箇所で径方向内側に隆起する形状を有しており、その各隆起した部分に枠材部４６の尖頭部４４と係合する係合溝４７が形成されている。
【００２２】
枠材部４６は、軸方向である長手方向に垂直な断面において、中心から３方向放射状に延長される構造を有し、やや細めの中心部分から直線状に延伸された３つの尖頭部４４が配設されており、その尖頭部４４の先端部が管状筐体部３７の係合溝４７と係合する。係合溝４７及び尖頭部４４の先端部は、管状筐体部３７の軸方向に延長されるように形成されていることから、管状筐体部３７に対して枠材部４６を挿入する場合には、３つの尖頭部４４の先端部を管状筐体部３７の各係合溝４７をそれぞれ摺動させながら枠材部４６を挿入することができ、尖頭部４４の先端部と管状筐体部３７の係合溝４７の間の遊びは比較的に小さくされることから、管状筐体部３７の中空部４８に枠材部４６を挿入することで、軸方向である長手方向に垂直な断面においては枠材部４６を位置決めすることができる。
【００２３】
発光素子３１は配線基板３４に実装され、発光素子３２は配線基板３５に実装され、発光素子３３は配線基板３６に実装される。これら発光素子３１、３２、３３は例えばチップ型の発光ダイオードからなり、板状の配線基板３４、３５、３６の長手方向に沿って所定のピッチで並べて配されている。発光素子３１、３２、３３から一対のリード線が発光素子３１、３２、３３の射出面とは反対側の面から配線基板３４、３５、３６側に延長されており、これらリード線を介して各発光素子３１、３２、３３は配線基板３４、３５、３６に固定されている。発光素子３１、３２、３３は配線基板３４、３５、３６に対して図２に示すように離間していても良く、逆に密着して取り付けられていても良い。
【００２４】
板状の各配線基板３４、３５、３６は、管状筐体部３７の軸方向である長手方向に沿って延びた平板で帯状の形状を有し、枠材部４６の１つの尖頭部４４から隣接する他の尖頭部２４に向き合うように突出して形成された係合片の係合溝４５によって当該基板の短手方向の両端部がそれぞれ支持され、枠材部４６に対して保持されている。この結果、隣接する配線基板同士の基板面のなす角は６０度になり、仮に隣接する配線基板同士の基板面を延長させた場合には、正三角柱を立体的には構成する。
【００２５】
このように発光素子３１、３２、３３は配線基板３４、３５、３６に実装され、配線基板３４、３５、３６は枠材部４６の係合片に形成された係合溝４５によって支持され、枠材部４６は管状筐体部３７の中空部４８に挿入されていることから、発光素子３１、３２、３３は管状筐体部３７を透過するように光を射出する向きに管状筐体部３７内に固定される。発光素子３１、３２、３３から射出した光が通過する領域の管状筐体部３７には、光を散乱させるための散光部３８、３９、４０、４１、４２、４３が形成されており、これら散光部３８、３９、４０、４１、４２、４３によって発光素子３１、３２、３３から射出した光が散光し、光が当該発光装置の外部に広い範囲に亘って射出されることになる。すなわち、発光素子３１に対向する管状筐体部３７の内壁に散光部４１が形成されると共に管状筐体部３７の外周に散光部３８が形成され、発光素子３２に対向する管状筐体部３７の内壁に散光部４２が形成されると共に管状筐体部３７の外周に散光部３９が形成され、発光素子３３に対向する管状筐体部３７の内壁に散光部４３が形成されると共に管状筐体部３７の外周に散光部４０が形成される。
【００２６】
これら散光部３８、３９、４０、４１、４２、４３は、例えば図示のように複数のディンプルを形成したような凹凸を有する面としても良く、散乱のためのシートやビーズなどを配置するようにしても良い。また、これら散光部３８、３９、４０、４１、４２、４３だけを別部材で形成して、管状筐体部１７に対して組み込むようにしても良い。このような散光部３８、３９、４０、４１、４２、４３が設けられない場合には、発光素子３１、３２、３３から射出した光が指向性の高いまま射出されて、外部から見た場合には各発光素子３１、３２、３３のそれぞれ１つの素子から射出した光が独立して見えてしまうことになり、当該発光装置は広い範囲の照明効果を得ることができないが、散光部３８、３９、４０、４１、４２、４３を設けたことで、発光素子３１、３２、３３のそれぞれ１つの素子から射出した光が散光して当該発光装置の外部に広い範囲に亘って射出され、外部から見た場合には各発光素子３１、３２、３３からの光が個別に光るようには見えず、より蛍光灯のような全体に広がる照明効果を得ることができる。また、枠材部４６は比較的に薄い厚みアルミニウムの如き軽金属材料で構成することができ、突設片なども薄い板状であるため、全体としての軽量化を図ることもでき、素子で発熱に対する熱の拡散にも優れている。
【００２７】
なお、本実施形態では、散光部３８、３９、４０、４１、４２、４３を管状筐体部３７の中空部４８の内壁と外周の両方に設けた例で説明したが、どちらか１方だけの構成でも良く、散光部は外周面や内壁ではなく管状筐体部３７の光透過領域の厚みの中に形成される構造であってもよく、例えば、乱反射のためのパーティクルを含有した樹脂を光透過領域に配置するような方式でも良い。また、本実施形態では、発光装置の外形を所定の型の直管形の蛍光灯と概略同じ形状及びサイズで説明したが、本考案の発光装置は、環状やその他の形状の蛍光灯や電球形状の外形を有していても良い。
【００２８】
[第３の実施形態]
本実施形態の発光装置は、第１の実施形態の発光装置と同様に、図３に示すように、所定の型の直管形の蛍光灯と概略同じサイズを有しており、コンバータなどの電源回路を有し、図示しない両端部にはソケットが取り付けられていて、既存の蛍光灯を置き換えて使用することができるものである。
【００２９】
本実施形態の発光装置においては、略円筒状のアクリル製乳半からなる管状筐体部６７は中空部６８、６９を有しており、一方の断面略ハート形状の中空部６９内に係合して固定される枠材部７０と、その枠材部７０に短手方向の両端部がそれぞれ支持されてなる板状の配線基板６３、６４と、これらに実装され発光した光が管状筐体部６７を介して外部に射出される複数の発光素子６１、６２とを有している。そして、管状筐体部６７のからの光が透過する領域には、光を散乱させるための散光部６５、６６が形成されている。
【００３０】
管状筐体部６７は、第１の実施形態と同様に、光透過率が６０〜８８％と比較的に透過率の高い乳半アクリル樹脂材を例えば押し出し成型法により成型したものであり、この乳半アクリル樹脂材には例えば紫外線による劣化を防止するための紫外線吸収剤や柔軟性のためのシリコン樹脂なども含まれる。管状筐体部６７の内部には長手方向に垂直な断面で略ハート形状の中空部６９が設けられており、断面略山形のもう１つの中空部６８も形成される。中空部６８には、枠材部は挿入されない。略ハート形状の中空部６９のうち、中空部６８の頂部に近い部分では、長手方向に垂直な断面において径方向内側に隆起する形状を有しており、その各隆起した部分に枠材部７０の支持部７１と係合する係合溝が形成されている。
【００３１】
枠材部７０は、軸方向である長手方向に垂直な断面において、略錨形状に延長される構造を有し、中心の支持部７１から径方向に延長され、中空部６８の内壁に突き当たったところから中空部６８の内壁に沿って延長され、そこから約六分の一円周程度のところで、配線基板を支持するもう１つの支持部が左右１つずつ形成されている。
【００３２】
発光素子６１は配線基板６３に実装され、発光素子６２は配線基板６４に実装される。これら一対の発光素子６１、６２は例えばチップ型の発光ダイオードからなり、先の実施形態と同様に、板状の配線基板６３、６４の長手方向に沿って所定のピッチで並べて配されている。板状の各配線基板６３、６４は、管状筐体部６７の軸方向である長手方向に沿って延びた平板で帯状の形状を有し、枠材部７０の支持部７１にそれぞれ挟持されて支持されている。隣接する配線基板６３、６４同士の基板面のなす角は例えば１２０度程度である。
【００３３】
このように発光素子６１、６２は配線基板６３、６４に実装され、配線基板６３、６４は枠材部７０に形成された支持部７１によって支持され、枠材部７０は管状筐体部６７の中空部６９に挿入されていることから、発光素子６１、６２は管状筐体部６７を透過するように光を射出する向きに管状筐体部６７内に固定される。発光素子６１、６２から射出した光が通過する領域の管状筐体部６７には、光を散乱させるための散光部６５、６６が形成されており、これら散光部６５、６６によって発光素子６１、６２から射出した光が散光し、光が当該発光装置の外部に広い範囲に亘って射出されることになる。
【００３４】
これら散光部６５、６６は、例えば図示のように複数のディンプルを形成したような凹凸を有する面としても良く、散乱のためのシートやビーズなどを配置するようにしても良い。また、これら散光部６５、６６だけを別部材で形成して、管状筐体部６７に対して組み込むようにしても良い。散光部６５、６６を設けたことで、発光素子６１、６２のそれぞれ１つの素子から射出した光が散光して当該発光装置の外部に広い範囲に亘って射出され、外部から見た場合には各発光素子６１、６２からの光が個別には見えなくなり、より蛍光灯のような全体に広がる照明効果を得ることができる。また、枠材部７０は比較的に薄い厚みアルミニウムの如き軽金属材料で構成することができ、突設片なども薄い板状であるため、全体としての軽量化を図ることもでき、素子で発熱に対する熱の拡散にも優れている。
【００３５】
なお、本実施形態では、散光部６５、６６を管状筐体部６７の中空部６９の内壁に設けた例で説明したが、外周部７２に形成する構成でも良く、散光部は外周面や内壁ではなく管状筐体部６７の光透過領域の厚みの中に形成される構造であってもよく、例えば、乱反射のためのパーティクルを含有した樹脂を光透過領域に配置するような方式でも良い。また、本実施形態では、発光装置の外形を所定の型の直管形の蛍光灯と概略同じ形状及びサイズで説明したが、本考案の発光装置は、環状やその他の形状の蛍光灯や電球形状の外形を有していても良い。
【００３６】
[第４の実施形態]
本実施形態の発光装置は、第１の実施形態の発光装置と同様に、図４に示すように、所定の型の直管形の蛍光灯と概略同じサイズを有しており、コンバータなどの電源回路を有し、図示しない両端部にはソケットが取り付けられていて、既存の蛍光灯を置き換えて使用することができるものである。
【００３７】
本実施形態の発光装置においては、略円筒状のアクリル製乳半からなる管状筐体部８４は断面円形の中空部８８を有しており、中空部８８内に係合して固定される枠材部８６と、その枠材部８６に短手方向の両端部がそれぞれ支持されてなる板状の配線基板８２と、この配線基板８２に実装され発光した光が管状筐体部８４を介して外部に射出される複数の発光素子８１とを有している。そして、管状筐体部８４の発光素子８１からの光が透過する領域には、光を散乱させるための散光部８３が形成されている。
【００３８】
管状筐体部８４は、第１の実施形態と同様に、光透過率が６０〜８８％と比較的に透過率の高い乳半アクリル樹脂材からなる。管状筐体部８４の内部には長手方向に垂直な断面で略円形形状の中空部８８が設けられており、この中空部８８の内壁に端部が管状筐体部６７の内壁に食い込む形で枠材部８６が取り付けられている。
【００３９】
枠材部８６は、軸方向である長手方向に垂直な断面において、横長のひらがなの"ひ"の字の形状に延長される構造を有し、中心の凹部に配線基板８２と該配線基板８２に一列に実装されている複数の発光素子８１を係合溝８７で配線基板８２の両端を挟んで支持している。例えばチップ型の発光ダイオードからなる発光素子８１は配線基板８２に実装され、板状の配線基板８２の長手方向に沿って所定のピッチで並べて配されている。
【００４０】
このように発光素子８１は配線基板８２に実装され、配線基板８２は枠材部８６に形成された係合溝８７によって支持され、枠材部８６は管状筐体部８４の中空部６９に挿入されていることから、発光素子８１は管状筐体部８４を透過するように光を射出する向きに管状筐体部８４内に固定される。発光素子８１から射出した光が通過する領域の管状筐体部８４の中空部８８の内壁には、光を散乱させるための散光部８３が形成されており、これら散光部８３によって発光素子８１から射出した光が散光し、光が当該発光装置の外部に広い範囲に亘って射出されることになる。
【００４１】
この散光部８３は、例えば図示のように複数のディンプルを形成したような凹凸を有する面としても良く、散乱のためのシートやビーズなどを配置するようにしても良い。また、これら散光部８３だけを別部材で形成して、管状筐体部８４に対して組み込むようにしても良い。散光部８３を設けたことで、発光素子８１のそれぞれ１つの素子から射出した光が散光して当該発光装置の外部に広い範囲に亘って射出され、外部から見た場合には各発光素子８１からの光が個別には見えなくなり、より蛍光灯のような全体に広がる照明効果を得ることができる。また、枠材部８６は比較的に薄い厚みアルミニウムの如き軽金属材料で構成することができ、突設片なども薄い板状であるため、全体としての軽量化を図ることもでき、素子で発熱に対する熱の拡散にも優れている。
【００４２】
なお、本実施形態では、散光部８３を管状筐体部８４の中空部８８の内壁に設けた例で説明したが、外周部８５に形成する構成でも良く、散光部は外周面や内壁ではなく管状筐体部８４の光透過領域の厚みの中に形成される構造であってもよく、例えば、乱反射のためのパーティクルを含有した樹脂を光透過領域に配置するような方式でも良い。また、本実施形態では、発光装置の外形を所定の型の直管形の蛍光灯と概略同じ形状及びサイズで説明したが、本考案の発光装置は、環状やその他の形状の蛍光灯や電球形状の外形を有していても良い。
【００４３】
[第５の実施形態]
本実施形態の発光装置は、第１の実施形態の発光装置と同様に、図５に示すように、所定の型の直管形の蛍光灯と概略同じサイズを有しており、コンバータなどの電源回路を有し、図示しない両端部にはソケットが取り付けられていて、既存の蛍光灯を置き換えて使用することができるものである。
【００４４】
本実施形態の発光装置においては、略円筒状のアクリル製乳半からなる管状筐体部１０１は中空部１０４を有しており、その中空部１０４内に係合して固定される枠材部９８と、その枠材部９８に短手方向の両端部がそれぞれ支持されてなる板状の配線基板９４、９５、９６と、これらに実装され発光した光が管状筐体部１０１を介して外部に射出される複数の発光素子９１、９２、９３とを有している。そして、管状筐体部１０１の発光素子９１、９２、９３からの光が透過する領域には、光を所定の方向に屈折させるためのレンズ部１００が形成されている。
【００４５】
管状筐体部１０１は、第１の実施形態と同様に、光透過率が６０〜８８％と比較的に透過率の高い乳半アクリル樹脂材を例えば押し出し成型法により成型したものであり、この乳半アクリル樹脂材には例えば紫外線による劣化を防止するための紫外線吸収剤や柔軟性のためのシリコン樹脂なども含まれる。管状筐体部１０１の内部には長手方向に垂直な断面で中空部１０４が設けられており、中空部１０４を形成するところの管状筐体部１０１の内壁は長手方向に垂直な断面において３箇所で径方向内側に緩やかに隆起する形状を有しており、その各隆起した部分に枠材部９８の尖頭部９７と係合する係合溝１０３が形成されている。
【００４６】
枠材部９８は、軸方向である長手方向に垂直な断面において、中心から３方向放射状に延長される構造を有し、やや細めの中心部分から直線状に延伸された３つの尖頭部９７が配設されており、その尖頭部９７の先端部が管状筐体部１０１の係合溝１０３と係合する。係合溝１０３及び尖頭部９７の先端部は、管状筐体部１０１の軸方向に延長されるように形成されていることから、管状筐体部１０１に対して枠材部９８を挿入する場合には、３つの尖頭部９７の先端部を管状筐体部１０１の各係合溝１０３とをそれぞれ摺動させながら枠材部９８を挿入することができ、尖頭部９７の先端部と係合溝１０３の間の遊びは比較的に小さくされることから、枠材部９８を確実に位置決めすることができる。枠材部９８は比較的に薄い厚みアルミニウムの如き軽金属材料で構成することができ、突設片なども薄い板状であるため、全体としての軽量化を図ることもでき、素子で発熱に対する熱の拡散にも優れている。
【００４７】
発光素子９１は配線基板９４に実装され、発光素子９２は配線基板９５に実装され、発光素子９３は配線基板９６に実装される。これら発光素子９１、９２、９３は例えばチップ型の発光ダイオードからなり、板状の配線基板９４、９５、９６の長手方向に沿って所定のピッチで並べて配されている。発光素子９１、９２、９３から一対のリード線が発光素子９１、９２、９３の射出面とは反対側の面から配線基板９４、９５、９６側に延長されており、これらリード線を介して各発光素子９１、９２、９９は配線基板９４、９５、９６に固定されている。発光素子９１、９２、９３は配線基板９４、９５、９６に対して図５に示すように離間していても良く、逆に密着して取り付けられていても良い。
【００４８】
板状の各配線基板９４、９５、９６は、管状筐体部１０１の軸方向である長手方向に沿って延びた平板で帯状の形状を有し、枠材部９８の１つの尖頭部９７から隣接する他の尖頭部９７に向き合うように突出して形成された係合片の係合溝９９によって当該基板の短手方向の両端部がそれぞれ支持され、枠材部９８に対して保持されている。この結果、隣接する配線基板同士の基板面のなす角は６０度になり、仮に隣接する配線基板同士の基板面を延長させた場合には、正三角柱を立体的には構成する。
【００４９】
このように発光素子９１、９２、９３は配線基板９４、９５、９６に実装され、配線基板９４、９５、９６は枠材部９８の係合片に形成された係合溝９９によって支持され、枠材部９８は管状筐体部１０１の中空部１０４に挿入されていることから、発光素子９１、９２、９３は管状筐体部１０１を透過するように光を射出する向きに管状筐体部１０１内に固定される。発光素子９１、９２、９３から射出した光が通過する領域の管状筐体部３７には、光を散乱させるためのレンズ１００が形成されており、これらレンズ１００によって発光素子９１、９２、９３から射出した光を屈折させ、光が当該発光装置の外部に広い範囲に亘って射出されることになる。レンズを外周部１０２側に形成しても良い。
【００５０】
なお、本実施形態では、発光装置の外形を所定の型の直管形の蛍光灯と概略同じ形状及びサイズで説明したが、本考案の発光装置は、環状やその他の形状の蛍光灯や電球形状の外形を有していても良い。
【００５１】
[第６の実施形態]
本実施形態の発光装置は、第１の実施形態の発光装置と同様に、図６に示すように、所定の型の直管形の蛍光灯と概略同じサイズを有しており、コンバータなどの電源回路を有し、図示しない両端部にはソケットが取り付けられていて、既存の蛍光灯を置き換えて使用することができるものである。
【００５２】
本実施形態の発光装置においては、略円筒状のアクリル製乳半からなる管状筐体部１１５は断面略ハート形状の中空部１１４を有しており、中空部１１４内に係合して固定される枠材部１１７と、その枠材部１１７に短手方向の両端部がそれぞれ支持されてなる板状の配線基板１１２、１１３と、これらに実装され発光した光が管状筐体部１１５を介して外部に射出される複数の発光素子１１１、１１０とを有している。
【００５３】
管状筐体部１１５は、第１の実施形態と同様に、光透過率が６０〜８８％と比較的に透過率の高い乳半アクリル樹脂材を例えば押し出し成型法により成型したものであり、この乳半アクリル樹脂材には例えば紫外線による劣化を防止するための紫外線吸収剤や柔軟性のためのシリコン樹脂なども含まれる。管状筐体部１１５の内部には長手方向に垂直な断面で略ハート形状の中空部１１４が設けられており、略ハート形状の中空部１１４の頂部に近い部分では、長手方向に垂直な断面において径方向内側に隆起する形状を有しており、その各隆起した部分に枠材部１１７の支持部１２０と係合する係合溝１１９が形成されている。
【００５４】
枠材部１１７は、軸方向である長手方向に垂直な断面において、略逆Ｔ形状に延長される構造を有し、支持部１２０と端部の近くにそれぞれ形成される係合溝１１８に配線基板１１２、１１３が保持されている。発光素子１１０は配線基板１１２に実装され、発光素子１１１は配線基板１１３に実装される。これら一対の発光素子１１０、１１１は例えばチップ型の発光ダイオードからなり、先の実施形態と同様に、板状の配線基板１１２、１１３の長手方向に沿って所定のピッチで並べて配されている。板状の各配線基板１１２、１１３は、管状筐体部１１５の軸方向である長手方向に沿って延びた平板で帯状の形状を有し、枠材部１１７の支持部１２０と端部に形成された係合溝１１８にそれぞれ挟持されて支持されている。隣接する配線基板１１２、１１３同士の基板面のなす角は例えば９０度程度である。なお、枠材部１１７は比較的に薄い厚みアルミニウムの如き軽金属材料で構成することができ、全体としての軽量化を図ることもでき、素子で発熱に対する熱の拡散にも優れている。
【００５５】
このように２列に並べられた発光素子１１０、１１１は配線基板１１２、１１３に実装され、配線基板１１２、１１３は枠材部１１７に形成された支持部１２０によって支持され、枠材部１１７は管状筐体部１１５の中空部１１４に挿入されていることから、発光素子１１０、１１１は管状筐体部１１５を透過するように光を射出する向きに管状筐体部１１５内に固定される。配線基板１１２、１１３同士の基板面のなす角は例えば９０度程度であり、２列に並べられた発光素子１１０、１１１によって広い範囲を照射することができる。
【００５６】
なお、本実施形態では、発光装置の外形を所定の型の直管形の蛍光灯と概略同じ形状及びサイズで説明したが、本考案の発光装置は、環状やその他の形状の蛍光灯や電球形状の外形を有していても良い。
【図面の簡単な説明】
【００５７】
【図１】本考案の第１の実施形態にかかる発光装置を一部破断して示す斜視図である。
【図２】本考案の第２の実施形態にかかる発光装置を一部破断して示す斜視図である。
【図３】本考案の第３の実施形態にかかる発光装置を一部破断して示す斜視図である。
【図４】本考案の第４の実施形態にかかる発光装置を一部破断して示す斜視図である。
【図５】本考案の第５の実施形態にかかる発光装置を一部破断して示す斜視図である。
【図６】本考案の第６の実施形態にかかる発光装置を一部破断して示す斜視図である。
【符号の説明】
【００５８】
１１、１２、１３  発光素子
１４、１５、１６  配線基板
１７  管状筐体部
１８、１９、２０、２１、２２、２３  散光部
２４  尖頭部
２５  係合溝
２６  枠材部
２７  係合溝
２８  中空部
２９  外周部
３１、３２、３３  発光素子
３４、３５、３６  配線基板
３７  管状筐体部
３８、３９、４０、４１、４２、４３  散光部
４４  尖頭部
４５  係合溝
４６  枠材部
４７  係合溝
４８  中空部
４９  外周部
６１、６２  発光素子
６３、６４  配線基板
６５、６６  散光部
６７  管状筐体部
６８、６９  中空部
７０  枠材部
７１  支持部
７２  外周部
８１  発光素子
８２  配線基板
８３  散光部
８４  管状筐体部
８５  外周部
８６  枠材部
８７  係合溝
８８  中空部
９１、９２、９３  発光素子
９４、９５、９６  配線基板
９７  尖頭部
９８  枠材部
９９  係合溝
１００  レンズ部
１０１  管状筐体部
１０２  外周部
１０３  係合溝
１０４  中空部
１１１、１１０  発光素子
１１２、１１３  配線基板
１１４  中空部
１１５  管状筐体部
１１７  枠材部
１１８、１１９  係合溝
１２０  支持部
【図１】
0003145640.tif 000003
【図２】
0003145640.tif 000004
【図３】
0003145640.tif 000005
【図４】
0003145640.tif 000006
【図５】
0003145640.tif 000007
【図６】
0003145640.tif 000008